(57)【要約】【課題】  医療用の画像形成装置の上部に複数の排出トレイが配置されていても、各排出トレイに排出されたフィルムのサイズやフォーマットを容易に確認できる医療用ソータ装置を提供する。【解決手段】  患者を撮影して得られた医用画像データを基にフィルム上に透過観察用の画像を形成する画像形成装置の上部に装填される医療用ソータ装置である。この医療用ソータ装置には、上下方向に沿って配列されて、画像形成装置から排出されるフィルムを収納する複数の排出トレイが備えられている。複数の排出トレイは、実質的な透過性を有している。【選択図】図１
2005289619.tif 000002
【特許請求の範囲】
【請求項１】
患者を撮影して得られた医用画像データを基にフィルム上に透過観察用の画像を形成する画像形成装置の上部に装填される医療用ソータ装置であって、
上下方向に沿って配列されて、前記画像形成装置から排出されるフィルムを収納する複数の排出トレイを備え、
前記複数の排出トレイは、実質的な透過性を有していることを特徴とする医療用ソータ装置。
【請求項２】
請求項１記載の医療用ソータ装置において、
前記複数の排出トレイは貫通孔を有していることを特徴とする医療用ソータ装置。
【請求項３】
請求項１又は２記載の医療用ソータ装置において、
前記画像形成装置のフィルム排出高さが１０００ｍｍ以上であることを特徴とする医療用ソータ装置。
【発明の詳細な説明】
【技術分野】
【０００１】
本発明は、医療用ソータ装置に係り、特に、フィルムに対して画像を形成する画像形成装置に搭載される医療用ソータ装置に関する。
【背景技術】
【０００２】
従来、コピー機やファクシミリなどのシート状の記録媒体に画像形成を行う画像形成装置には、画像形成後の記録媒体を複数の排出トレイに分類して排出するソータ装置が搭載されているものがある（例えば特許文献１参照）。画像形成装置には、フィルムがソータ装置まで搬送されるまでに搬送経路中で詰まってしまうことを視認できるように搬送経路を覆うカバーを透明部材で形成したものが開発されている（例えば特許文献２参照）。
【０００３】
ここで、画像形成装置には、コピー機やファクシミリなどの一般事務に用いられるものだけではなく、病院等で使用される医療用のイメージャなどもある。このようなイメージャにおいては、半切（１７×１４（インチ））、大角（１４×１４）、大四切（１１×１４）の他に、乳房撮影装置や超音波撮影装置の出力時に用いられる六切（８×１０）等、複数サイズのフィルム（記録媒体）に画像形成するものが開発されている。ここで、イメージャは、画像生成装置が患者を撮影することにより得られた医用画像データを基にフィルムに画像を形成するものであるが、画像生成装置がＣＲ（Computed Radiography）の場合には撮影した部位をライフサイズ（等倍）に近い倍率でフィルムに出力することが多いために、フィルム内には１駒の画像が形成される場合が多い。一方、ＣＴ（Computed Tomography），ＭＲＩ（Magnetic Resonance Imaging）の場合には複数の断層の画像を一枚のフィルムに出力するマルチフォーマット画像となる。つまり、画像生成装置がＣＲの場合と、ＣＴやＭＲＩの場合とではフィルム上のフォーマットが異なることになる。
【特許文献１】特開平８−１３３５６５号公報
【特許文献２】特開平１０−３２４４４４号公報
【発明の開示】
【発明が解決しようとする課題】
【０００４】
ここで、ソータ装置には、設置面積の効率化のために、画像形成装置本体の上方に複数の排出トレイを配置しているものがあるが、画像形成装置がイメージャであると、その背丈がコピー機やファクシミリよりも高いことから、ソータ装置の各排出トレイも高位置になってしまっていた。これにより、いくつかの排出トレイがユーザの視線から高くなってしまい、結果として、ユーザの視線よりも高位の排出トレイに対しては、排出されたフィルムを一旦取り出してみないとフィルムのサイズやフォーマットを確認できず、手間がかかっていた。
【０００５】
本発明の課題は、医療用の画像形成装置の上方に複数の排出トレイが配置されていても、各排出トレイに排出されたフィルムのサイズやフォーマットを容易に確認できる医療用ソータ装置を提供することである。
【課題を解決するための手段】
【０００６】
上記課題を解決するために、請求項１記載の発明は、
患者を撮影して得られた医用画像データを基にフィルム上に透過観察用の画像を形成する画像形成装置の上部に装填される医療用ソータ装置であって、
上下方向に沿って配列されて、前記画像形成装置から排出されるフィルムを収納する複数の排出トレイを備え、
前記複数の排出トレイは、実質的な透過性を有していることを特徴としている。
【０００７】
請求項１記載の発明によれば、画像形成装置の上部で上下方向に沿って配列された複数の排出トレイは、実質的な透過性を有している。ここで、実質的な透過性とは、排出トレイ上に排出されたフィルムのサイズだけでなく、少なくともそのフォーマットを視認可能なレベルであることを意味する。例えば、上下方向に沿って配列された複数の排出トレイのなかの、隣接する一対の排出トレイのうち、一方の排出トレイにのみフィルムが載せられている場合には、他方の排出トレイの上方若しくは下方から、一方の排出トレイ上のフィルムが視認できるレベルである。さらに好ましくは、最下位の排出トレイにのみフィルムが載せられている場合には、最上位の排出トレイの上方からでも、最下位の排出トレイにおけるフィルムのフォーマットが視認できるレベルや、これとは反対に最上位の排出トレイにのみフィルムが載せられている場合には、最下位の排出トレイの下方からでも、最上位の排出トレイにおけるフィルムのフォーマットが視認できるレベルである。このように、排出トレイ上のフィルムを他の排出トレイを介して視認できれば、逐一排出トレイからフィルムを取り出さなくとも、容易にフィルムのサイズやフォーマットを確認することが可能になる。
また、排出トレイが透過性を有していれば、画像形成装置前で作業するユーザに対して光が注ぐことになり、ユーザに対する圧迫感を抑制できる。
【０００８】
請求項２記載の発明は、請求項１記載の医療用ソータ装置において、
前記複数の排出トレイは貫通孔を有していることを特徴としている。
【０００９】
請求項２記載の発明によれば、複数の排出トレイには貫通孔が備えられているので、その貫通孔によって実質的な透過性を実現することができる。
【００１０】
請求項３記載の発明は、請求項１又は２記載の医療用ソータ装置において、
前記画像形成装置のフィルム排出高さが１０００ｍｍ以上であることを特徴としている。
【００１１】
請求項３記載の発明によれば、画像形成装置の排出高さが１０００ｍｍ以上であるので、複数の排出トレイは、１０００ｍｍ以上の高さから上に向かって配列されることになる。したがって、排出トレイの実質的な透過性によって、ユーザの視界が上下方向に広がり、排出トレイ内のフィルム視認性が向上する。
【発明の効果】
【００１２】
本発明によれば、排出トレイ上のフィルムを他の排出トレイを介して視認できるので、逐一排出トレイからフィルムを取り出さなくとも、容易にフィルムのサイズやフォーマットを確認することが可能になる。
また、排出トレイが透過性を有していれば、画像形成装置前で作業するユーザに対して光が注ぐことになり、ユーザに対する圧迫感を抑制できる。
【発明を実施するための最良の形態】
【００１３】
以下、図１〜図５を参照して本発明を実施するための最良の形態を説明する。ただし、発明の範囲は、図示例に限定されない。
【００１４】
まず、画像形成装置１について説明する。図１は、画像形成装置１の正面断面図である。この画像形成装置は、患者を撮影して得られた医用画像データを基にフィルム上に透過観察用の画像を形成するものである。図１に示すように、画像形成装置１には、シート状の熱現像感光材料である熱現像感光フィルムを所定枚数でパッケージした包装体を装填する第１及び第２のフィルム装填部１１，１２及びフィルムを１枚づつ露光・現像のために搬送するフィルム搬送部５を有する供給部１１０と、供給部１１０から給送されたフィルムを露光し潜像を形成する露光部１２０と、潜像を形成されたフィルムを熱現像する熱現像部１３０と、熱現像部１３０に設けられる加熱ドラム１４をクリーニングするためのクリーニング部１３と、現像されたフィルムの濃度を測定し濃度情報を得る濃度計２００や搬送ローラ対１４４等を含む冷却搬送部１５０と、が備えられている。
【００１５】
冷却搬送部１５０は、画像形成されたフィルムを冷却しながら装置外部に排出するものであり、露光部１２０、熱現像部１３０等からなる熱現像装置及びフィルム装填部１１，１２の上方に配置されている。冷却搬送部１５０は外装カバー１５１によって覆われている。外装カバー１５１には、冷却搬送部１５０から排出されたフィルムを受けるフィルム受け部１５２が形成されている。また、冷却搬送部１５０には、画像形成されたフィルムを集積するソータ装置（医療用ソータ装置）１６０が搭載されている。
【００１６】
以下、本実施形態に係るソータ装置１６０について詳細に説明する。
このソータ装置１６０には、冷却搬送部１５０から排出されたフィルムを収納する複数の排出トレイ１６０ａ，１６０ｂが、画像形成装置１の上方で上下方向に配列されている。この複数の排出トレイ１６０ａ，１６０ｂは、冷却搬送部１５０の複数の排出口（図示省略）からのフィルムを受けられるように配置されている。複数の排出口のうち、最下位の排出口は、高さが１０００ｍｍ以上の位置に設置されている。例えば、最下位の排出口を１０００ｍｍとすれば、その他の排出口が１０００ｍｍ以上になるために、画像形成装置１の排出高さは１０００ｍｍ以上になる。つまり、複数の排出トレイ１６０ａ，１６０ｂは、１０００ｍｍ以上の高さから上に向かって配列される。
【００１７】
図２は排出トレイ１６０ａ，１６０ｂの上面図であり、図３は正面図である。図２に示す通り、排出トレイ１６０ａ，１６０ｂには、排出されたフィルムを受ける底板１６１が設けられている。この底板１６１は、最大サイズのフィルムＦが排出された際に、少なくともそのフィルムＦの先端部を下方から支持できる大きさに設定されており、これによってフィルムＦが排出トレイ１６０ａ，１６０ｂから落下することを防止している。
【００１８】
そして、底板１６１の正面側中央には、集積されたフィルムを容易に把握できるようにスリット部１６２が形成されている。また、スリット部１６２の先端側には、図３に示すように、底板１６１から基端側下方に向けて延出する延出部１６３が設けられている。ここで、フィルムＦは冷却搬送部１５０から排出される際にその先端部がカールしてしまう場合もあるが、こうなった場合に延出部１６３がないとフィルムＦの先端部がスリット部１６２に引っかかってしまって、排出不良が生じてしまうおそれがある。しかしながら、延出部１６３が設けられていれば、フィルムＦの先端部がカールしていたとしても、その先端部は延出部１６３の上面に沿うことになって、スリット部１６２に対する引っかかりを防止できるようになっている。
【００１９】
また、図２及び図３に示すように、底板１６１における背面側端部と、正面側端部のスリット部１６２よりも基端側とには、フィルムＦの背面側若しくは正面側への落下を防止するために、底板１６１に対して垂直に立設するリブ１６４及び１６５が設けられている。なお、本実施形態では、フィルムＦを把握した際の取り出しやすさを考慮して、底板１６１における正面側端部のスリット部１６２よりも先端側にはリブを設けていないが、この部分にリブを設ければフィルムＦの正面側への落下をさらに防止することが可能となる。
【００２０】
そして、この排出トレイ１６０ａ，１６０ｂは、実質的な透過性を有している。実質的な透過性とは、排出トレイ１６０ａ，１６０ｂ上に排出されたフィルムＦのサイズだけでなく、少なくともそのフォーマットを視認可能なレベルであることを意味する。例えば、隣接する一対の排出トレイ１６０ａ，１６０ｂのうち、下位の排出トレイ１６０ａにのみフィルムＦが載せられている場合には、上位の排出トレイ１６０ｂの上方から、下位の排出トレイ１６０ａ上のフィルムＦが視認できるレベル、或いは上位の排出トレイ１６０ｂにのみフィルムＦが載せられている場合には、下位の排出トレイ１６０ａの下方から、上位の排出トレイ１６０ｂ上のフィルムＦが視認できるレベルであることを実質的な透過性とする。
【００２１】
排出トレイ１６０ａ，１６０ｂが実質的な透過性を有するようにするには、図２に示すように、底板１６１に複数の貫通孔Ｖが設けられている。これらの貫通孔Ｖは、フィルム収納時におけるフィルムＦの半切、大角、大四切等の各サイズの先端部に対応する位置に形成されている。なお、貫通孔Ｖは、排出トレイ１６０ａ，１６０ｂの最低限必要な強度を損なわない程度であれば、いくつ形成してもよく、その形成個所も底板１６１だけでなくリブ１６４，１６５であってもよい。また、排出トレイ１６０ａ，１６０ｂ自体を網状に形成して実質的な透過性を確保することも可能である。これ以外にも、特性として実質的な透過性を有する材料（例えばアクリル、ポリカーボネイト等の樹脂）を用いて排出トレイ１６０ａ，１６０ｂを形成してもよい。
【００２２】
なお、外装カバー１５１も実質的な透過性を有していれば、外装カバー１５１を介してフィルム受け部１５２や排出トレイ１６０ａ，１６０ｂ上のフィルムＦのサイズやフォーマットを視認することも可能である。
【００２３】
なお、フィルムＦのフォーマットとは、フィルムＦ上に形成される画像の形式のことである。図４は、フォーマットの一例を示す説明図である。フォーマットは画像生成装置の種類によって決定されるものであり、例えば画像生成装置がＣＲ（Computed Radiography）の場合には、撮影画像とフィルム枚数が１：１になるように、例えば図４（ａ）に示した１枚のフィルムＦに対して１つの画像Ｐ１が形成されることになる。一方、ＣＴ（Computed Tomography），ＭＲＩ（Magnetic Resonance Imaging）の場合には、１枚のフィルムに複数の撮影画像が形成されるように、例えば図４（ｂ）に示した１枚のフィルムＦに対して３×４の画像Ｐ２が形成されることになる。ここで、フィルムＦにおける画像Ｐ１、画像Ｐ２以外の部分は、通常Ｄｍａｘ処理が施されているため、画像形成後のフィルムＦを一見すれば、それがＣＲによるものか、ＣＴ、ＭＲＩによるものかを認識することができるようになっている。
【００２４】
また、図１に示すようにソータ装置１６０には、冷却搬送部１５０から排出されるフィルムの搬送先を複数の排出トレイ１６０ａ，１６０ｂ及びフィルム受け部１５２のうち、いずれか１つに切り替える切替部１７０が設置されている。この切替部１７０には、冷却搬送部１５０内に進入したフィルムを狭持して上下動させる第１切替ユニット１７１と、第１切替ユニット１７１によって狭持されたフィルムを、搬送先として選択された各排出トレイ１６０ａ，１６０ｂ若しくはフィルム受け部１５２に案内する第２切替ユニット１７２とが備えられている。
【００２５】
第１及び第２切替ユニット１７１，１７２には、フィルムを狭持する一対の狭持部材１７３と、一対の狭持部材１７３によって狭持されたフィルムを搬送するための２対の搬送ローラ１７４と、狭持部材１７３及び搬送ローラ１７４を昇降させるベルト１７５と、ベルト１７５を上下方向に沿って張設させる一対の張設ローラ１７６とが備えられている。
つまり、切替部１７０は、搬送先として選択された各排出トレイ１６０ａ，１６０ｂ若しくはフィルム受け部１５２に対向する位置に、予め第２切替ユニット１７２の狭持部材１７３及び搬送ローラ１７４を移動させてから、冷却搬送部１５０内に進入したフィルムを第１切替ユニット１７１の狭持部材１７３によって狭持して、第２切替ユニット１７２の狭持部材１７３に対向する位置にまで第１切替ユニット１７１の狭持部材１７３及び搬送ローラ１７４を移動させることで、搬送先を切り替えるようになっている。また、切替部１７０は、第１切替ユニット１７１の狭持部材１７３と第２切替ユニット１７２の狭持部材１７３とが対向すれば、第１及び第２切替ユニット１７１，１７２の搬送ローラを駆動させて、フィルムを搬送先として選択された各排出トレイ１６０ａ，１６０ｂ若しくはフィルム受け部１５２に排出するようになっている。
【００２６】
次に、画像形成装置１におけるフィルムの搬送経路について説明する。供給部１１０の第１及び第２のフィルム装填部１１，１２には、サイズの異なるフィルムをそれぞれ装填することができ、第１のフィルム装填部１１または第２のフィルム装填部１２からフィルムが１枚づつフィルム搬送部５、搬送ローラ対１３９，１４１により図１の矢印方向（１）に搬送される。次いで、フィルムは矢印方向（２）に搬送され、露光部１２０で潜像が形成される。続いて、搬送ローラ対１４２，１４３により矢印方向（３）へ搬送され、熱現像部１３０で潜像が可視像化される。さらに、フィルムは、矢印方向（４）へ搬送され、冷却搬送部１５０で冷却された後、搬送ローラ対１４４及び切替部１７０によって、搬送先として選択された各排出トレイ１６０ａ，１６０ｂ若しくはフィルム受け部１５２に排出される。
【００２７】
次に、画像形成装置１の機能的構成について図４を参照して説明する。なお、図４は、本発明に必要な構成のみ示し、説明に不要なその他の各構成部分は省略している。
【００２８】
図４に示すように、画像形成装置１は、制御部１５ａ、操作表示部１５ｂ、画像データ入力部１５ｃ、画像データ記憶部１５ｄ、画像形成部１５ｅ、フィルム搬送部５、切替部１７０、記憶部１５ｇ等を備えて構成されている。
【００２９】
制御部１５ａは、ＣＰＵ（Central Processing Unit）等から構成され、記憶部１５ｇに格納される各種処理プログラムに従って、画像形成装置１を構成する各構成部を一括して制御する。具体的に、制御部１５ａは、記憶部１５ｇに格納される画像形成処理プログラムに従って、画像データ入力部１５ｃ、画像データ記憶部１５ｄ、画像形成部１５ｅ、切替部１７０の動作を統括的に制御して画像形成処理を実行する。
【００３０】
操作表示部１５ｂは、例えば、表示部（図示せず）と、表示部を覆うように設けられるタッチパネル（図示せず）とから構成される。表示部は、制御部から出力される表示情報や各種設定スイッチを表示する。また、タッチパネルは、電磁誘導式、磁気歪式、感圧式等の座標読み取り原理でタッチ指示された座標を検出し、検出した座標を位置信号として制御部１５ａに出力する。
【００３１】
画像データ入力部１５ｃは、ネットワークＮを介して接続される画像生成装置が患者を撮影することによって得た医用画像データを受信し、受信した医用画像データを画像データ記憶部１５ｄに出力する。また、画像データ入力部１５ｃは、撮影された医用画像データを記録したＣＤ−ＲＯＭ（Compact Disk-Read Only Memory）やフロッピー（登録商標）等の各種記憶媒体から医用画像データを読み取り可能な構成であってもよい。
【００３２】
また、画像データ入力部１５ｃは、蛍光強度を検出するフォトダイオード、ＣＣＤ、ＣＭＯＳ（Complementary Metal-Oxide Semiconductor）センサ等の光検出素子を画素毎に設けた光検出器を備えた構成とし、放射線を増感紙等の蛍光体層に吸収させて蛍光を発光させ、その蛍光強度を光検出器で検出し、光電変換を行ってデジタル医用画像データを入力することとしてもよい。また、放射線の照射により可視光を発する放射線シンチレータと、レンズアイ及び各々のレンズに対応するエリアセンサと組み合わせた構成であってもよい。
【００３３】
なお、画像データ入力部１５ｃにより入力された医用画像データにはヘッダ領域が設けられており、このヘッダ領域に、医用画像に関する情報として、例えば撮影された患者の氏名、患者ＩＤ（患者を個別に識別するためのＩＤ）、性別等の患者情報、撮影部位（部位情報）、撮影日、画像がどの検査に属するかを示す検査ＩＤ（検査を個別に識別するためのＩＤ）等の撮影情報や、医用画像を生成した画像生成装置の装置ＩＤ（装置を個別に識別するためのＩＤ）、記録媒体のサイズ、記録画素サイズ、記録媒体の濃度情報等の付帯情報がＤＩＣＯＭ規格に基づいて記録されていることとする。
【００３４】
画像データ記憶部１５ｄは、磁気的、光学的記録媒体又は半導体メモリ等により構成され、画像データ入力部１５ｃにより入力された医用画像データを記憶する。このとき、必要に応じてデータ圧縮を施すこととする。データ圧縮方法としては、公知のＪＰＥＧ、ＤＰＣＭ、ウェーブレット圧縮等の手法により、可逆圧縮又は不可逆圧縮を行うことが可能であるが、データ圧縮に伴う画像データの劣化が無い可逆圧縮が好ましい。
【００３５】
画像形成部１５ｅは、露光部１２０、熱現像部１３０等を備える熱現像装置から構成され、画像データ記憶部１５ｄから入力される医用画像データに応じて変調したレーザビームでフィルムを露光して潜像を形成し、その後加熱することにより、露光部を発色させて潜像を可視像化する。
【００３６】
フィルム搬送部５は、フィルム装填部１１，１２からフィルムを取り出すフィルムピックアップ、搬送ローラ等により構成され、制御部１５ａから出力される選択信号に応じて、指定されたフィルム装填部１１，１２を選択し、選択されたフィルム装填部１１，１２に装填されているフィルムを画像形成部１５ｅに搬送する。
【００３７】
切替部１７０は、制御部１５ａの制御に応じて、第１及び第２切替ユニット１７１，１７２を制御して、フィルムの搬送先を複数の排出トレイ１６０ａ，１６０ｂ及びフィルム受け部１５２のなかから切り替える。
【００３８】
次に、本実施の形態における動作について説明する。
まず、制御部１５ａは、画像データ入力部１５ｃを介して医用画像データを受信すると、医用画像データから、当該医用画像データに対応するフィルムサイズを読み出して、そのサイズのフィルムが装填されているフィルム装填部１１，１２からフィルムが送り出されるようにフィルム搬送部５を制御する。
その後、制御部１５ａは、画像形成部１５ｅに医用画像データを出力して、フィルムに医用画像データに基づく画像を形成させる。そして、画像が形成されたフィルムは、制御部１５ａの制御に基づいた切替部１７０の動作によって、各排出トレイ１６０ａ，１６０ｂ若しくはフィルム受け部１５２に排出される。
【００３９】
以上のように、本実施形態のソータ装置１６０によれば、画像形成装置１の上方で上下方向に沿って配列された複数の排出トレイ１６０ａ，１６０ｂが実質的な透過性を有しているので、排出トレイ１６０ａ，１６０ｂ上のフィルムを他の排出トレイ１６０ａ，１６０ｂを介して視認することができる。これにより、逐一排出トレイ１６０ａ，１６０ｂからフィルムを取り出さなくとも、容易にフィルムのサイズやフォーマットを確認することが可能になる。特に、画像生成装置の種類毎に対応してフィルムＦの搬送先が設定されている場合に、効果的である。例えば、専門の技師であれば、フォーマットやサイズが視認できれば、画像生成装置と排出トレイ１６０ａ，１６０ｂとの対応づけを知らなくても、自分の担当のフィルムであることを容易に認識することができる。
また、フィルムが排出トレイ１６０ａ，１６０ｂの背面側に寄っていたとしても、その透過性によって正面側からでも視認することが可能となる。
さらに、排出トレイ１６０ａ，１６０ｂが透過性を有しているので、画像形成装置１前で作業するユーザに対して光が注ぐことになり、ユーザに対する圧迫感を抑制できる。
【００４０】
なお、上述した本実施形態における記述は、本発明に係る好適な画像形成装置の一例であり、これに限定されるものではない。
例えば、本実施形態では、上下方向に沿って２つの排出トレイ１６０ａ，１６０ｂが配列された場合を例示したが、排出トレイが３つ以上配列されていてもよい。例えば、上記したように画像形成装置１の排出高さが１０００ｍｍ以上に設定された状態で、排出トレイを５つ配列した場合には、最上位の排出トレイは１７００ｍｍ前後に位置することになるが、排出トレイの材質及び／又は貫通孔により実質的な透過性が確保されているので、ユーザの視線の上下方向の視界が広がり、排出トレイ内の視認性が向上する。
ここで、各排出トレイの実質的な透過性は、最下位の排出トレイにのみフィルムが載せられている場合には、最上位の排出トレイの上方からでも、最下位の排出トレイにおけるフィルムのフォーマットが視認できるレベルや、これとは反対に最上位の排出トレイにのみフィルムが載せられている場合には、最下位の排出トレイの下方からでも、最上位の排出トレイにおけるフィルムのフォーマットが視認できるレベルであることが好ましい。
その他、本実施の形態における画像形成装置１の構成部分の細部構成、及び細部動作に関しても、本発明の趣旨を逸脱することのない範囲で適宜変更可能である。
【図面の簡単な説明】
【００４１】
【図１】本実施形態のソータ装置を備えた画像形成装置の要部構成を示す断面図である。
【図２】図１のソータ装置に備わる排出トレイを表す上面図である。
【図３】図２の排出トレイの正面図である。
【図４】フィルムのフォーマットの一例を示す説明図である。
【図５】画像形成装置１の機能的構成を示すブロック図である。
【符号の説明】
【００４２】
１              画像形成装置
１６０              ソータ装置（医療用ソータ装置）
１６０ａ，１６０ｂ  排出トレイ
【図１】
2005289619.tif 000003
【図２】
2005289619.tif 000004
【図３】
2005289619.tif 000005
【図５】
2005289619.tif 000006
【図４】
2005289619.tif 000007